(57)【要約】【課題】  本発明は燃料供給の待ち時間に広告やアンケートに対する意見を顧客に回答してもらうことを課題とする。【解決手段】  燃料供給システム１０は、セルフサービス方式の計量機１２と、計量機１２及び表示器４０を制御する制御回路１６と通信回線１８を介して通信可能に接続された管理端末装置１４とを有する。また、スポンサ用端末装置１１及び管理端末装置１４は、インターネット１５を介してセンタ１３と通信可能に接続されている。計量機１２の制御回路１６は、給液中になると表示器４０に広告やアンケートを表示して顧客に回答してもらう。顧客が入力した回答データは、インターネット１５を介してセンタ１３に送信される。スポンサ用端末装置１１はインターネット１５を介してセンタ１３に格納された広告回答データベース５４及びアンケート回答データベース５６を閲覧することができる。【選択図】  図１
2006338172.tif 000002
【特許請求の範囲】
【請求項１】
燃料を被供給体に供給する燃料供給系統と、
燃料の供給に関する情報を表示する表示器と、
顧客向けの情報を記憶する表示内容記憶手段と、
該表示内容記憶手段に記憶された顧客向けの情報を前記表示器に表示させる表示器制御手段と、
前記表示器に表示された顧客向けの情報に対して回答を入力する回答入力手段と、
該回答入力手段により入力された回答データを記憶する回答記憶手段と、
前記回答入力手段により入力された回答データにより当該顧客に対して褒賞を与える褒賞提供手段と、
を有することを特徴とする燃料供給システム。
【請求項２】
前記回答記憶手段は、前記顧客の回答に対応して当該顧客が燃料供給を行なった際の燃料供給情報が記憶されることを特徴とする請求項１に記載の燃料供給システム。
【請求項３】
前記燃料供給情報は、供給された前記燃料の種類、供給量、料金支払方法のうち少なくとも何れか一つの情報を含むことを特徴とする請求項２に記載の燃料供給システム。
【発明の詳細な説明】
【技術分野】
【０００１】
本発明は燃料供給システムに係り、特に燃料を供給する際に燃料供給装置の表示器に顧客向け情報を表示するよう構成された燃料供給システムに関する。
【背景技術】
【０００２】
給液所に設置された計量機で給液する際には、例えば、オイル交換や洗車などの広告やカー用品の広告を表示したり、あるいは広告に対する顧客からのアンケートを収集する方法として、給液中の待ち時間を利用して計量機に設けられた表示器に広告を表示して顧客に対する宣伝効果を高めるように構成された給液装置がある（例えば、特許文献１参照）。
【特許文献１】特開２００２−２３３８５５号公報
【発明の開示】
【発明が解決しようとする課題】
【０００３】
しかしながら、上記特許文献１に記載された給液装置では、給液量などを表示する表示器に広告を表示しているだけで、この広告に対する顧客の反応を確かめることができなかった。例えば、広告に対する顧客の反応をアンケートしようとすると、アンケート用紙を配り、顧客が回答を書き込んだアンケート用紙を回収するといった面倒な作業が増える。そのため、フルサービスの給液所においては、作業員が給液操作を行なうと、車両の窓拭きを行なうため、給液中に広告に対する顧客の意見を収集することができず、あるいはセルフサービス方式の給液所の場合には、広告に対する顧客の意見を収集するために作業員を配置することができないので、給液中に広告に対する顧客の意見を収集することができないという問題があった。
【０００４】
そこで、本発明は上記課題を解決した燃料供給システムを提供することを目的とする。
【課題を解決するための手段】
【０００５】
上記課題を解決するため、本発明は以下のような手段を有する。
【０００６】
上記請求項１記載の発明は、燃料を被供給体に供給する燃料供給系統と、燃料の供給に関する情報を表示する表示器と、顧客向けの情報を記憶する表示内容記憶手段と、該表示内容記憶手段に記憶された顧客向けの情報を前記表示器に表示させる表示器制御手段と、前記表示器に表示された顧客向けの情報に対して回答を入力する回答入力手段と、該回答入力手段により入力された回答データを記憶する回答記憶手段と、前記回答入力手段により入力された回答データにより当該顧客に対して褒賞を与える褒賞提供手段と、を有することを特徴とする。
【０００７】
また、請求項２記載の発明は、前記回答記憶手段が、前記顧客の回答に対応して当該顧客が燃料供給を行なった際の燃料供給情報が記憶されることを特徴とする。
【０００８】
また、請求項３記載の発明は、前記燃料供給情報は、供給された前記燃料の種類、供給量、料金支払方法のうち少なくとも何れか一つの情報を含むことを特徴とする。
【発明の効果】
【０００９】
本発明によれば、表示器に表示された顧客向けの情報に対して回答を入力すると、入力された回答データを記憶し、入力された回答データにより当該顧客に対して褒賞を与えるため、顧客が直接表示器に表示された広告に対する意見などの情報を容易に得ることができ、よって、例えば、アンケートを得るための作業員を配置する必要がなく、且つ顧客の情報をその場で直接的に収集することができると共に、顧客の要望にも対応しやすくなる。また、顧客としてもアンケートに答えることにより何らかの褒賞が得られるというメリットがあるので、回答データの入力を積極的に行なうことができる。
【００１０】
また、本発明によれば、顧客の回答に対応して当該顧客が燃料供給を行なった際の燃料供給情報が記憶されるため、顧客が入力した回答データを燃料供給情報（供給した燃料の種類や燃料供給量や料金支払方法などの情報）に分けて検索することができるように分類したり、あるいは回答データに含まれる各種情報の区分けを容易に行なえる。
【発明を実施するための最良の形態】
【００１１】
以下、図面を参照して本発明を実施するための最良の形態について説明する。
【実施例１】
【００１２】
図１は本発明になる燃料供給システムの一実施例を示すシステム構成図である。図１に示されるように、燃料供給システム１０は、セルフサービス方式の計量機１２と、計量機１２及び表示器４０を制御する制御回路（表示器制御手段）１６と通信回線（ＳＳ−ＬＡＮ）１８を介して通信可能に接続された管理端末装置１４とを有する。また、スポンサ会社に設置されたスポンサ用端末装置１１及び管理端末装置１４は、インターネット１５を介してセンタ１３と通信可能に接続されている。
【００１３】
管理端末装置１４は、車両への給液が行われると、計量機１２から個別に送信された各情報及びスポンサ用端末装置１１により登録されて送信された広告やアンケートのデータを記憶装置（表示内容記憶手段）１９に格納する。さらに、管理端末装置１４は、複数の計量機１２から出力された燃料供給情報（例えば、車両へ供給される燃料の供給量（給液量）、燃料の種類（液種）、給液金額、料金支払方法等の情報を含む）、及び広告・アンケート情報（広告回数や顧客が入力した要望や広告に対する意見等の顧客入力情報）を管理している。
【００１４】
また、計量機１２の制御回路１６は、給液が終了する度に燃料供給情報及び広告・アンケート情報を管理端末装置１４へ送信する。そして、管理端末装置１４は、計量機１２の制御回路１６から送信された広告・アンケート情報を集計して定期的に公衆回線及びインターネット１５を介してセンタ１３のホストコンピュータ１７へ送信する。ホストコンピュータ１７は、受信した燃料供給情報及び顧客入力情報をデータベース１７Ａに格納している。
【００１５】
スポンサ用端末装置１１は、インターネット１５を介してホストコンピュータ１７と通信可能に接続されており、データベース１７Ａに格納された燃料供給情報及び広告・アンケート情報をみることができる。そのため、スポンサ会社の社員は、スポンサ用端末装置１１を操作することにより、例えば、検索キーワードを入力することにより、年齢別、男女別、地域別、時間帯毎の広告・アンケート情報を検索することで、希望する分類の情報をみることができ、あるいは各給液所でどのような顧客の要望があるかを容易に確認することができる。
【００１６】
ここで、セルフサービス方式の計量機１２の構成について説明する。計量機１２は、給液所の地下に埋設された地下タンク（図示せず）から燃料（本実施例では、油液）を汲み上げる給液管路２０に、給液ポンプ２２、流量計２４、流量制御弁２６が設けられている。そして、流量制御弁２６の吐出口に連通された給液ホース２８の先端には、給液ノズル３０が設けられている。また、流量制御弁２６は、制御回路１６からの開弁信号により開弁し、開弁信号がオフになると閉弁する。
【００１７】
給液ノズル３０は、計量機１２の筐体側面に設けられたノズル掛け３２に掛止されており、車両へ燃料を供給する際にノズル掛け３２から外されて開弁操作される。また、ノズル掛け３２には、給液ノズル３０の有無を検出するためのノズルスイッチ３４が設けられている。このノズルスイッチ３４は、給液ノズル３０がノズル掛け３２に掛止されている状態のときにオフとなり、給液ノズル３０がノズル掛け３２から外されるとオンに切り替わるように構成されている。
【００１８】
また、計量機１２の筐体には、給液ポンプ２２を駆動するポンプモータ３６と、流量計２４で計測した流量に比例した流量パルスを出力するパルス発信器３８と、車両に給液された積算値を表示する表示器４０とが設けられている。この表示器（回答入力手段）４０は、液晶パネルからなるタッチパネルであり、顧客が表示された選択項目に触れることにより回答入力装置としても機能する。
【００１９】
また、制御回路１６は、流量制御弁２６、ノズルスイッチ３４、ポンプモータ３６、パルス発信器３８、表示器４０の各機器と電気的に接続されている。
【００２０】
制御回路１６は、ノズルスイッチ３４からオン信号が入力されると、ポンプモータ３６を起動すると共に流量制御弁２６を開弁して給液可能とする。また、制御回路１６は、給液ノズル３０の開弁操作によりパルス発信器３８から流量パルスが出力されると、流量パルスの積算値から算出された給液量を表示器４０に表示させるように制御処理を実行する。
【００２１】
そして、制御回路１６は、ノズルスイッチ３４がオフになると、給液が終了したため、ポンプモータ３６を停止させると共に流量制御弁２６を閉弁し、給液量に応じた給液料金を算出して表示させる。さらに、給液終了後は、燃料供給情報（液種、給液量、給液金額、料金支払方法等の情報）及び表示器４０に表示されたアンケートに対する回答や要望などの顧客入力情報をメモリ４４に記憶させる。尚、メモリ４４では、メモリ４４の記憶容量に応じて数回分の情報を一時的に記憶しており、数回分の情報のうち古い情報の記憶領域から順次上書きされる。
【００２２】
図２に示されるように、給液所Ａ〜Ｚに設置された計量機１２（１２Ａ〜１２Ｚ）は、計量機１２（１２Ａ〜１２Ｚ）を管理する管理端末装置１４Ａ〜１４Ｚと接続され、給液所Ａ〜Ｚの管理端末装置１４Ａ〜１４Ｚは、夫々が公衆回線及びインターネット１５を介してセンタ１３に設置されたホストコンピュータ１７と通信可能に接続されている。
【００２３】
各給液所Ａ〜Ｚには、車両の燃料タンク（図示せず）にガソリン等の燃料を給液する複数の計量機１２（１２Ａ〜１２Ｚ）が設置されている。この計量機１２（１２Ａ〜１２Ｚ）は、セルフサービス方式の給液装置であり、顧客（運転者）自身が表示器４０で給液設定データを入力してから給液操作を行うようになっている。
【００２４】
従って、センタ１３では、給液所Ａ〜Ｚの管理端末装置１４Ａ〜１４Ｚから送信された燃料供給情報及び顧客入力情報をデータベース（回答記憶手段）１７Ａに随時格納している。そして、スポンサ用端末装置１１では、後述するように、インターネット１５を介してデータベース１７Ａに格納された情報（燃料供給情報及び表示器４０に表示されたアンケートに対する回答や要望などの顧客入力情報を含む）をダウンロードして閲覧することが可能である。そのため、スポンサ会社では、顧客が入力した回答データを供給した燃料の種類（液種）や料金支払方法などの項目に分けて検索することができるように分類したり、あるいは回答データに含まれる各種情報の区分けを容易に行なうことができる。
【００２５】
図３は計量機１２の制御回路１６が実行する制御処理を説明するためのフローチャートである。図４は図３に示す制御処理に続いて制御回路１６が実行する制御処理を説明するためのフローチャートである。図３に示されるように、制御処理６は、Ｓ１１で表示器４０のタッチパネルにより燃料供給情報（液種、料金支払方法等の情報や、プリセットする給液量、給液金額の情報を含む）が入力されて設定完了すると、Ｓ１２に進み、入力された設定情報を管理端末装置１４へ送信する。
【００２６】
次のＳ１３では、ノズルスイッチ３４がオフか否かをチェックしており、ノズルスイッチ３４がオフになると、給液ノズル３０がノズル掛け３２から外されたものと判断する。続いて、Ｓ１４では、管理端末装置１４からの給液許可信号を受信したか否かをチェックする。上記Ｓ１３において、ノズルスイッチ３４がオフになると、計量機１２から給液許可要求信号が事務所の管理端末装置１４に送信される。そして、給液所の係員は、当該計量機１２で異常が無ければ、当該計量機１２に対して給液許可信号を出力させる。
【００２７】
従って、Ｓ１４において、給液許可信号を受信すると、Ｓ１５に進み、給液ポンプ２２を起動させる。続いて、Ｓ１６では、表示器４０に予め登録された広告画面５０（図５（Ａ）参照）及びアンケート画面５２（図５（Ｂ）参照）を表示させる。顧客は、この表示器４０に表示された広告画面５０をみて、タッチパネルの「みました」の選択領域５２ａに触れると、広告を見たことがメモリ４４に記憶される。また、アンケート画面５２に表示されたアンケートの選択領域５２ａ〜５２ｃの何れかに触れると、アンケートに対する回答結果の入力データとしてメモリ４４に記憶される。
【００２８】
次のＳ１７では、ノズルスイッチ３４がオンか否かをチェックしており、ノズルスイッチ３４がオンになると、給液ノズル３０がノズル掛け３２に戻されたものと判断する。このＳ１７において、ノズルスイッチ３４がオフであるときは、まだ給液中であるので、Ｓ１８に進み、アンケートに対する回答があるか否かをチェックする。Ｓ１８において、アンケートに対する回答がある場合には、Ｓ１９に進み、メモリ４４に記憶されたアンケートに対する回答データを管理端末装置１４へ送信する。尚、Ｓ１８において、アンケートに対する回答がある場合には、上記Ｓ１９の処理を省略する。
【００２９】
次のＳ２０では、予め設定された所定時間が経過したか否かをチェックする。Ｓ２０において、所定時間が経過すると、Ｓ２１に進み、次に予め登録された広告画面及びアンケート画面を表示器４０に表示する。このように給液中は、予め登録された広告画面及びアンケート画面を順次表示器４０に表示するため、顧客は、給液が終了するまでの待ち時間を利用して表示器４０に表示された広告画面及びアンケート画面をみて広告情報を楽しめると共に、アンケートに回答することで給液所に対する意見や要望を容易に入力することが可能になる。そのため、給液所としてもアンケートのための人員を配置することなく顧客の要望を容易に収集することが可能になり、給液所の改善策を企画しやすくなる。
【００３０】
また、Ｓ１７において、ノズルスイッチ３４がオンになると、給液ノズル３０がノズル掛け３２に戻されたため、給液終了と判断し、図４に示すＳ２２に進む。Ｓ２２では、ノズルスイッチ３４がオンになってから予め設定されたｎ秒が経過したか否かをチェックする。Ｓ２２において、ｎ秒が経過していないときは、Ｓ２３に進み、アンケートに対する回答があるか否かをチェックする。Ｓ２３において、アンケートに対する回答がある場合には、Ｓ２４に進み、メモリ４４に記憶されたアンケートに対する回答データを管理端末装置１４へ送信する。尚、Ｓ２３において、アンケートに対する回答が無い場合には、上記Ｓ２２の処理に戻り、Ｓ２２、Ｓ２３の処理を繰り返す。
【００３１】
また、上記Ｓ２２において、ｎ秒が経過したとき、あるいはＳ２４の処理が行われた場合には、Ｓ２５に進み、今回の燃料供給情報（液種、給液量、給液金額、料金支払方法など）を管理端末装置１４へ送信する。次のＳ２６では、表示器４０のタッチパネルにより広告画面５０に対する「みました」の選択領域５０ａを選択操作したか、あるいはアンケート画面５２の選択領域５２ａ〜５２ｃの何れかを選択操作か否かをチェックする。
【００３２】
上記Ｓ２６において、上記広告画面５０の選択領域５０ａ、あるいはアンケート画面５２の選択領域５２ａ〜５２ｃの何れかを選択操作した場合には、Ｓ２７に進み、給液金額に対して割引価格を適用して給液金額を減額する（褒賞提供手段）。また、上記Ｓ２６において、上記広告画面５０の選択領域５０ａ、及びアンケート画面５２の選択領域５２ａ〜５２ｃの何れも選択操作されない場合には、Ｓ２８に進み、給液金額に対して通常価格を適用して給液金額をそのまま請求する。そして、Ｓ２９では、上記Ｓ２７またはＳ２８により演算された給液金額を印字した伝票を発行する。顧客は、この伝票に記載された給液金額を事務所で支払う。
【００３３】
このように、顧客自身が給液待ち時間を利用して表示器４０に表示された広告をみたり、あるいはアンケートに回答することができるので、顧客も容易に回答することができ、且つアンケート結果を回収するための係員を配置する必要もないので、人件費も節約することができる。さらに、顧客が直接表示器４０に表示された広告に対する意見などの情報を容易に得ることができるので、顧客の情報をその場で直接的に収集することができると共に、顧客の要望にも対応しやすくなる。
【００３４】
また、本実施例では、上記Ｓ２７において、顧客としてもアンケートに答えることにより何らかの褒賞が得られるというメリットがあるので、回答データの入力を積極的に行なうことができる。また、上記Ｓ２６において、顧客が上記広告画面５０の選択領域５０ａ、あるいはアンケート画面５２の選択領域５２ａ〜５２ｃの何れかを選択操作した場合には、Ｓ２６で給液金額を減額したが、料金の割引の代わりに景品を提供したり、あるいは次回の給液時に使用できるポイントカードを提供するようにしても良い。
【００３５】
ここで、管理端末装置１４で保存される広告・アンケートに対する回答データを保存するデータベースについて説明する。
【００３６】
図６は広告画面５０に対する回答があった場合の広告回答データベース５４を模式的に示す図である。図６に示されるように、広告画面５０に対する回答として広告画面５０の選択領域５０ａが押圧操作された場合には、管理端末装置１４はそのときの回答日、回答時刻、広告番号、伝票番号、液種、給液量を広告回答データとして保存する。そして、管理端末装置１４は、この広告回答データベース５４を定期的にセンタ１３のホストコンピュータ１７へ送信する。
【００３７】
図７はアンケート画面５２に対する回答があった場合のアンケート回答データベース５６を模式的に示す図である。図７に示されるように、アンケート画面５２に対する回答としてアンケート画面５２の選択領域５２ａ〜５２ｃの何れかが押圧操作された場合には、管理端末装置１４はそのときの回答日、回答時刻、アンケート番号、伝票番号、液種、給液量をアンケート回答データとして保存する。そして、管理端末装置１４は、このアンケート回答データベース５６を定期的にセンタ１３のホストコンピュータ１７へ送信する。
【００３８】
次にスポンサ用端末装置１１を用いてホストコンピュータ１７に格納された広告回答データベース５４またはアンケート回答データベース５６を、インターネット１５を介してホストコンピュータ１７から読み出すための処理手順について図８のフローチャートを参照して説明する。
【００３９】
ホストコンピュータ１７は、インターネット１５に接続されるWEBサーバ機能を有しており、ID及びパスワードの入力を条件として広告回答データベース５４及びアンケート回答データベース５６の内容をWEB形式の表示画面で公開する機構を有する。
【００４０】
そして、スポンサ用端末装置１１は、インターネット１５を介してホストコンピュータ１７に接続され、図８に示す処理手順によりホストコンピュータ１７に登録された広告回答データベース５４及びアンケート回答データベース５６の内容を閲覧することが可能になる。このように、広告を提供したスポンサ会社では、スポンサ用端末装置１１を用いて広告回答データベース５４及びアンケート回答データベース５６の内容を容易に閲覧することができると共に、その日に登録された回答データをリアルタイムでみることができるので、広告に対する顧客の反応を即座に確認することができる。
【００４１】
ここで、図８に示すアンケート結果出力制御処理について説明する。スポンサ用端末装置１１では、図８のＳ３１でユーザＩＤ及びパスワードを入力されると、Ｓ３２に進み、入力されたユーザＩＤ及びパスワードが予め登録されている正規のものと一致するか否かをチェックする。Ｓ３２において、入力されたユーザＩＤ及びパスワードが正規のものと一致した場合には、認証OKとしてＳ３３に進む。このＳ３３では、ホストコンピュータ１７に登録されたアンケート一覧５８(図９参照)をディスプレイ（図示せず）に表示する。
【００４２】
次のＳ３４では、キーボードまたはマウスの操作によりホストコンピュータ１７に登録されたアンケート一覧５８(図９参照)の中から希望するアンケート番号５８ａを選択してチェックを入れ、それをディスプレイ（図示せず）に表示する。次のＳ３５でキーボードまたはマウスの操作によりダウンロードのアイコン５８ｄを選択する操作が行なわれると、ホストコンピュータ１７に登録された広告回答データベース５４及びアンケート回答データベース５６の内容がインターネット１５を介してダウンロードしてディスプレイ（図示せず）に表示する(図６、図７参照)。
【００４３】
また、上記Ｓ３２において、入力されたユーザＩＤ及びパスワードが正規のものと不一致の場合には、認証NGとなり、Ｓ３６に進み、ユーザＩＤまたはパスワードが間違っていることをディスプレイに表示させる。
【００４４】
このように、スポンサ会社の係員は、ユーザＩＤ及びパスワードを入力するだけで、センタ１３のホストコンピュータ１７に簡単にアクセスすることができるので、必要なアンケート結果を容易に得ることができる。また、センタ１３のホストコンピュータ１７では、予め登録された会員以外のものがアクセスしようとしてもユーザＩＤ及びパスワードが正規に登録されていなければ広告回答データベース５４及びアンケート回答データベース５６の内容をダウンロードできないので、第三者による侵入を防止するセキュリティ機能も確保されている。
【００４５】
ここで、スポンサ会社がスポンサ用端末装置１１を用いて希望する広告やアンケートをセンタ１３に登録する際の登録方法について図１０に示すフローチャートを参照して説明する。スポンサ用端末装置１１は、図１０のＳ４１でユーザＩＤ及びパスワードを入力されると、Ｓ４２に進み、入力されたユーザＩＤ及びパスワードが予め登録されている正規のものと一致するか否かをチェックする。このＳ４２において、入力されたユーザＩＤ及びパスワードが正規のものと一致した場合には、認証OKとしてＳ４３に進む。このＳ４３では、ホストコンピュータ１７に登録された第１の登録画面６０(図１１（Ａ）参照)をディスプレイ（図示せず）に表示する。
【００４６】
次のＳ４４では、アンケート内容を第１の登録画面６０の所定欄６０ａ〜６０ｄに入力する。そして、「次へ」のアイコン６０ｅがマウス操作で選択されると、第２の登録画面６２(図１１（Ｂ）参照)が表示され、アンケートを配信する地域、期間、表示時間の指定を行なう。そして、Ｓ４５において、「登録」のアイコン６２ｄがマウス操作で選択されると、Ｓ４６に進み、アンケート内容が適正か否かを質問するメッセージを表示する。
【００４７】
Ｓ４６において、アンケート内容が適正であるアイコン(図示せず)が選択された場合は、Ｓ４７に進み、アンケート内容を示すアンケートデータを登録する。
【００４８】
続いて、Ｓ４８では、条件（指定した地域）に合致する給液所を抽出し、Ｓ４９で抽出した給液所の管理端末装置１４にインターネット１５及びセンタ１３を介してアンケートデータを送信し、管理端末装置１４の記憶装置１９に記憶させる。これにより、当該管理端末装置１４では、送信されたアンケートデータを指定された時間帯で指定された期間を条件に表示器４０に表示する。
【００４９】
また、上記Ｓ４６において、アンケート内容が不適正であるアイコン(図示せず)が選択された場合は、登録不可能であることを表示して今回の登録処理を終了する。
【００５０】
また、上記Ｓ４２において、入力されたユーザＩＤ及びパスワードが正規のものと不一致の場合には、認証NGとなり、Ｓ５１に進み、ユーザＩＤまたはパスワードが間違っていることをディスプレイに表示させる。
【００５１】
このように、スポンサ会社がスポンサ用端末装置１１を用いて希望する広告やアンケートを容易に登録することができるので、スポンサ会社としては、必要なときに希望するアンケートを実施して適宜アンケート結果を前述した広告回答データベース５４及びアンケート回答データベース５６の内容をダウンロードすることにより得ることができる。
【産業上の利用可能性】
【００５２】
上記実施例では、燃料を扱う給液所の計量機１２の表示器４０に広告やアンケートを表示させる場合を例に挙げて説明したが、これに限らず、他の燃料（例えば、水素や圧縮天然ガス（CNG）など）を扱う燃料供給システムにも適用できるのは勿論である。
【図面の簡単な説明】
【００５３】
【図１】本発明になる燃料供給システムの一実施例を示すシステム構成図である。
【図２】複数の給液所Ａ〜Ｚがセンタに通信可能に接続された構成を模式的に示す系統図である。
【図３】計量機１２の制御回路１６が実行する制御処理を説明するためのフローチャートである。
【図４】図３に示す制御処理に続いて制御回路１６が実行する制御処理を説明するためのフローチャートである。
【図５】広告画面５０、アンケート画面５２の表示例を示す図である。
【図６】広告画面５０に対する回答があった場合の広告回答データベース５４を模式的に示す図である。
【図７】アンケート画面５２に対する回答があった場合のアンケート回答データベース５６を模式的に示す図である。
【図８】アンケート結果出力制御処理について説明するフローチャートである。
【図９】アンケート一覧５８の表示例を示す図である。
【図１０】スポンサ会社がスポンサ用端末装置１１を用いて希望する広告やアンケートを登録する際の登録方法を説明するためのフローチャートである。
【図１１】アンケート登録画面の表示例を示す図である。
【符号の説明】
【００５４】
１０  燃料供給システム
１１  スポンサ用端末装置
１２  計量機
１３  センタ
１４  管理端末装置
１５  インターネット
１６  制御回路
１７  ホストコンピュータ
１７Ａ  データベース
１８  通信回線
１９  記憶装置
４０  表示器
５０  広告画面
５２  アンケート画面
５４  広告回答データベース
５６  アンケート回答データベース
５８  アンケート一覧
６０  第１の登録画面
６２  第２の登録画面
【図１】
2006338172.tif 000003
【図２】
2006338172.tif 000004
【図３】
2006338172.tif 000005
【図４】
2006338172.tif 000006
【図５】
2006338172.tif 000007
【図６】
2006338172.tif 000008
【図７】
2006338172.tif 000009
【図８】
2006338172.tif 000010
【図９】
2006338172.tif 000011
【図１０】
2006338172.tif 000012
【図１１】
2006338172.tif 000013